(57)【要約】【課題】複数の無線機器間において同期を行う技術において、各機器の同期制御部間の給電により、無駄な機器の起動とその手間を不要とする。【解決手段】無線機器の同期制御部（例えば４３）から他の全ての同期制御部４（例えば４１，４２）にも回路電力が供給される。このため、主電源がオフのままの無線機器２を同期信号が経由する場合でも、同期信号が無線機器１から３へ到達可能となり、同期が確立できる。無線機器間で制御信号だけでなく同期制御部用の電力を供給することにより、各無線機器について同期制御部のみを起動状態に出来るので、所望の機器の起動に遠くまで出向く手間や、不要な機器の主電源まで一括起動する無駄も、回避可能となる。【選択図】図１
2008124908.tif 000002
【特許請求の範囲】
【請求項１】
複数の無線機器を接続した無線システムであって、
前記各無線機器は、
第一の電圧を用いる主電源部と、
前記第一の電圧より小さい第二の電圧を用いて、他の無線機器と制御信号の授受により動作上の同期を確立する同期制御部と、
を有し、
少なくともいずれか一の前記無線機器から、他の一又は二以上の各無線機器の各同期制御部に、前記第二の電圧を供給する手段と、
を有することを特徴とする無線システム。
【請求項２】
少なくとも一部の無線機器に、受け付ける選択操作に応じて指令信号を伝達することにより、前記選択操作で選択された無線機器の前記主電源部をオンする遠隔制御部を設けた
ことを特徴とする請求項１記載の無線システム。
【請求項３】
前記各無線機器の前記各同期制御部間を接続線で接続し、各同期制御部は、前記接続線を介して前記制御信号と、前記第二の電圧とを、重畳することにより授受する
ことを特徴とする請求項１又は２記載の無線システム。
【請求項４】
前記遠隔制御部は、前記同期の対象として、全部又は所望の一部の無線機器を選択する操作を受け付けて、その選択を前記指令信号により各無線機器の各同期制御部に反映させる
ことを特徴とする請求項２又は３記載の無線システム。
【請求項５】
複数の無線機器を接続した無線システムの同期方法であって、
前記各無線機器は、
第一の電圧を用いる主電源部と、
前記第一の電圧より小さい第二の電圧を用いて、他の無線機器と制御信号の授受により動作上の同期を確立する同期制御部と、
を有し、
少なくともいずれか一の前記無線機器から、他の一又は二以上の各無線機器の各同期制御部に、前記第二の電圧を供給する
ことを特徴とする無線システムの同期方法。
【請求項６】
前記各無線機器に設ける遠隔制御部により、
少なくとも一部の無線機器に、受け付ける選択操作に応じて指令信号を伝達することにより、前記選択操作で選択された無線機器の前記主電源部をオンする
ことを特徴とする請求項５記載の無線システムの同期方法。
【請求項７】
前記各無線機器の前記各同期制御部間を接続線で接続し、各同期制御部により、前記接続線を介して前記制御信号と、前記第二の電圧とを、重畳することにより授受する
ことを特徴とする請求項５又は６記載の無線システムの同期方法。
【請求項８】
前記遠隔制御部により、前記同期の対象として、全部又は所望の一部の無線機器を選択する操作を受け付けて、その選択を前記指令信号により各無線機器の各同期制御部に反映させる
ことを特徴とする請求項６又は７記載の無線システムの同期方法。
【発明の詳細な説明】
【技術分野】
【０００１】
本発明は、複数の無線機器間において同期を行う技術の改良に関するものである。
【背景技術】
【０００２】
従来から、テレビ局の放送スタジオ内などでよく見られる無線システムとして、インカムなどの子機同士の通話を、親機が制御するものが知られている。この種の無線システムでは、親機となる無線機器１台で１０台程度の子機が使用でき、マイクとイヤホンを備えた各子機を放送局の個々のスタッフが連絡用に装着する。
【０００３】
親機となる無線機器を複数用い、いずれか一の無線機器（マスターと呼ぶ）を中心に、他の無線機器と動作タイミング等に関する同期を確立することにより、全体として一つの無線システムを構築することも可能で、その場合の構成例を図３に示す。
【０００４】
このような従来技術では、各無線機器において、同期を行う同期制御部４０１〜４０３の電源オンオフが、ＡＣ１００Ｖ等の主電源部１１におけるオンオフに依存していたため、複数の無線機器間で同期を確立するには、対象とする機器の場所へ操作者が出向いて主電源スイッチ（図中、ＳＷ）を操作して個々に起動するか、又は、使用する可能性のある全ての無線機器を単一のオンオフスイッチで一括起動する必要があった。
【０００５】
実際の例としては、例えば図３に示すような構成において、同じスタジオＡ内の無線機器１０と２０は一括オンオフとし、他のスタジオＢの無線機器３０も同時に使用するときは、スタジオＢへ出向いて無線機器３０も起動する、といった運用例も見られた。
【０００６】
また、複数の機器間にマスターとスレーブ等の関係付けをし、マスターからスレーブの主電源を制御可能とする技術は存在した（例えば、特許文献１参照）。
【特許文献１】特許第２６３７８２９号
【発明の開示】
【発明が解決しようとする課題】
【０００７】
しかし、上記のような従来技術では、同期を確立させたい全ての無線機器について、主電源がオンの状態で起動していることが必須であったため、操作の煩雑さや電力の無駄という問題があった。すなわち、全機器を一括で起動する構成は簡明ではあるが、不要な機器まで起動状態となって電力の無駄が大きい。
【０００８】
また、個別に出向いて手作業で起動する場合、図３のような構成では、無線機器１０と３０の同期のためには、同期の途中に介在する無線機器２０も起動せねばならず、そのような判断や操作は煩雑であり、特に、機器間に距離がある場合は、これらの判断、起動、確認といった作業が煩に堪えなかった。
【０００９】
本発明は、上記のような従来技術の課題を解決するもので、その目的は、複数の無線機器間において同期を行う技術において、各機器の同期制御部間の給電により、無駄な機器の起動とその手間を不要とすることである。
【課題を解決するための手段】
【００１０】
上記の目的を達成するため、本発明の一態様は、複数の無線機器を接続した無線システムであって、前記各無線機器は、第一の電圧を用いる主電源部と、前記第一の電圧より小さい第二の電圧を用いて、他の無線機器と制御信号の授受により動作上の同期を確立する同期制御部と、を有し、少なくともいずれか一の前記無線機器から、他の一又は二以上の各無線機器の各同期制御部に、前記第二の電圧を供給する手段と、を有することを特徴とする。
【００１１】
このように、無線機器間で制御信号だけでなく同期制御部用の電力を供給することにより、各無線機器について同期制御部のみを起動状態に出来るので、所望の機器の起動に遠くまで出向く手間や、不要な機器の主電源まで一括起動する無駄も、回避可能となる。
【００１２】
本発明の他の態様は、さらに、少なくとも一部の無線機器に、受け付ける選択操作に応じて指令信号を伝達することにより、前記選択操作で選択された無線機器の前記主電源部をオンする遠隔制御部を設けたことを特徴とする。
【００１３】
このように、無線機器間で主電源操作をリモコン可能とすることにより、同期して稼動させたい他の無線機器の主電源起動のために出向いて操作する煩雑な手間が効果的に軽減可能となる。
【００１４】
本発明の他の態様は、さらに、前記各無線機器の前記各同期制御部間を接続線で接続し、各同期制御部は、前記接続線を介して前記制御信号と、前記第二の電圧とを、重畳することにより授受することを特徴とする。
【００１５】
このように、同期制御部間の接続線で同期制御部用の電力と制御信号を同時に伝達することにより、結線構成が単純化され、接続ミスや接触不良等の障害が削減でき信頼性が改善できる。
【００１６】
本発明の他の態様は、さらに、前記遠隔制御部は、前記同期の対象として、全部又は所望の一部の無線機器を選択する操作を受け付けて、その選択を前記指令信号により各無線機器の各同期制御部に反映させることを特徴とする。
【００１７】
このように、情況や用途などに応じ、同期の対象を自由に選択可能とすることにより、同期の動作が迅速軽快となる。
【００１８】
なお、システム（装置）だけでなく方法についても、以上各態様に準じる。
【発明の効果】
【００１９】
以上のような本発明によれば、複数の無線機器間において同期を行う技術において、各機器の同期制御部間の給電により、無駄な機器の起動とその手間を不要とすることができるので、放送局など無線システム利用者の業務効率が効果的に改善できる。
【発明を実施するための最良の形態】
【００２０】
次に、本発明を実施するための最良の複数の実施形態について図に沿って説明する。なお、背景技術や課題で既に説明した内容と共通の前提事項は適宜省略する。
【００２１】
〔１．第１実施形態の構成〕
本実施形態は、図１に示すように、複数の無線機器１，２，３を接続した無線システム（以下「本システム」と呼ぶ）であって、各無線機器１〜３は、ＡＣ１００Ｖ等の第一の電圧を用いる主電源部１１と、前記第一の電圧より小さい第二の電圧（例えばＤＣ１２Ｖ等で、以下「回路電力」と呼ぶ）を用いて、他の無線機器と制御信号の授受により動作上の同期を確立する同期制御部４（４１，４２，４３）と、を有する。各同期制御部４は、同期信号を出力端子と入力端子で順送り式に受け渡して同期を波及させてゆくもので、この例では、入力端子（図中「ＩＮ」）の接続がない無線機器をマスターと認識していて、スレーブの最後となる機器の出力端子（図中「ＯＵＴ」）には終端がある。なお、マスターを事前の設定により認識する手法も採用可能である。
【００２２】
また、本システムは、少なくともいずれか一の無線機器１，２ないし３から、他の一又は二以上の各無線機器１，２ないし３の各同期制御部４（４１，４２ないし４３）に、前記回路電力を供給する手段を有する。この手段は、図１で例示すれば、各無線機器１，２，３の各同期制御部４（４１，４２，４３）同士を、いずれか一つに回路電力の電圧が印加されれば他へも印加されるように並列に結線し、全部又は一部の無線機器を、主電源部１１のスイッチＳＷがオンになると同期制御部４に回路電力を供給するように構成することによって、実現される。
【００２３】
〔２．第１実施形態の作用及び効果〕
以上のように構成された本実施形態では、無線機器１，２又は３のうち少なくともいずれか一つ（例えば無線機器３）の主電源部１１がオンの間は、その無線機器の同期制御部（例えば４３）から他の全ての無線機器（この場合は１と２）の各同期制御部４（４１，４２）にも回路電力が供給される。このため、例えば図１において、主電源がオフのままの無線機器２を同期信号が経由する場合でも、同期信号が無線機器１から３へ到達可能となり、同期が確立できる。
【００２４】
このように、無線機器間で制御信号だけでなく同期制御部用の電力を供給することにより、各無線機器について同期制御部のみを起動状態に出来るので、所望の機器の起動に遠くまで出向く手間や、不要な機器の主電源まで一括起動する無駄も、回避可能となる。
【００２５】
〔３．第２実施形態〕
また、第２実施形態として、無線機器間で主電源のオンオフを遠隔操作させることも可能である。この例では、図２に示すように、各無線機器１〜３にそれぞれ、遠隔制御部５（５１，５２，５３）を設け、各遠隔制御部５は、ボタン等で受け付ける選択操作（初期設定時に設定する内容でもよい）に応じて、指令信号を伝達することにより、この選択操作で選択された無線機器の主電源部１１をオンする（遠隔制御処理）。
【００２６】
具体的には、各無線機器１，２，３の各同期制御部４（４１，４２，４３）には、常に回路電力は供給されており、例えば、主電源がオンの状態で無線機器３の遠隔制御部５３が、無線機器１の主電源をオンにする旨の選択操作を受け付け、これにより指令信号を例えば回路電力の電圧への重畳などにより、無線機器１の遠隔制御部５１に送信すると、この指令信号を遠隔制御部５１が同期制御部４１経由で受け取って主電源部１１をオンとする。
【００２７】
このように、無線機器間で主電源操作をリモコン可能とすることにより、同期して稼動させたい他の無線機器の主電源起動のために出向いて操作する煩雑な手間が効果的に軽減可能となる。なお、遠隔制御部は、全部ではなく一部の無線機器のみに設けてもよい。
【００２８】
〔４．他の実施形態〕
なお、本発明は、上記実施形態に限定されるものではなく、以下に例示するもの及びそれ以外の他の実施形態も含むものである。例えば、図１の例では、同期信号と回路電力の両者を相互に別系統のように図示したが、両者は同系統としてもよい。この場合、各無線機器の各同期制御部間を接続線で接続し、各同期制御部は、この接続線を介して制御信号と、回路電力とを重畳することにより授受するように構成及び結線する。
【００２９】
このように、同期制御部間の接続線で同期制御部用の電力と制御信号を同時に伝達することにより、結線構成が単純化され、接続ミスや接触不良等の障害が削減でき信頼性が改善できる。
【００３０】
また、この場合、相互に同期させたい一部の無線機器のみの間で、回路電力と重畳された制御信号を授受させるようにしてもよい。この場合、例えば、遠隔制御部５（５１，５２，５３）は、同期の対象として、全部又は所望の一部の無線機器１，２ないし３を選択する操作を受け付けて、その選択を前記指令信号により該当する各無線機器１，２ないし３の各同期制御部４（４１，４２ないし４３）に反映させる。
【００３１】
このように、情況や用途などに応じ、同期の対象を自由に選択可能とすることにより、同期の動作が迅速軽快となる。また、このような選択的な同期の手段として、電源電圧と制御信号を重畳して同期対象の無線機器へ送出することが考えられ、例えば、図１において、無線機器３において無線機器１と同期させたい場合、電源電圧が重畳された制御信号を無線機器３から無線機器１に対して出力する。
【００３２】
また、以上各実施形態における説明は例示に過ぎず、無線機器の台数や無線伝送の具体的な規格などについても適宜変更実施可能であり、そのような変形例も本発明の範囲内であることは言うまでもない。
【図面の簡単な説明】
【００３３】
【図１】本発明の第１実施形態の構成を示す図。
【図２】本発明の第２実施形態の構成を示す図。
【図３】無線システムの従来の例を示す図。
【符号の説明】
【００３４】
１，２，３…無線機器
４（４１，４２，４３）…同期制御部
５（５１，５２，５３）…遠隔制御部
１１…主電源部
【図１】
2008124908.tif 000003
【図２】
2008124908.tif 000004
【図３】
2008124908.tif 000005